Podtech/llm-jp-corpus-v4-ja_patent huggingface dataset:
(57)【要約】      （修正有）【課題】ブレーキマスターシリンダーキャップ上面に人形等の玩具を乗せ装飾することができる部品を提供する。【解決手段】ブレーキマスターシリンダーキャップ上面に人形等を載せる為に円柱状の突起１を設け人形等の玩具の凹部に嵌めて固定する。円柱状の突起１と人形等の玩具の凹部の嵌め込みによる固定力には限界が有るが、乗せる人形等の玩具の大きさや重さは非常に小さく軽い為嵌め込みによる固定力を上回る事は考えにくい為、脱落の危険性は低い。【選択図】図１
0003204390.tif 000002
【実用新案登録請求の範囲】
【請求項１】
二輪車の油圧式制動装置のブレーキマスターシリンダー又は油圧クラッチのマスターシリンダーのリザーバータンクキャップに人形等の玩具を取り付ける為の突起を設けた形状を有した部品。
【考案の詳細な説明】
【技術分野】
【０００１】汎用性の高い表面突起形状にする事による玩具の固定
【背景技術】
【０００２】従来からのマスターシリンダーリザーブタンクキャップは飾り気が無く上面はスペースを使っていない場所であった。
子供用玩具は多くの人が過去に遊んだ経験があり親しめる、また乗せるのにちょうどいい大きさの物が多く存在する。
それらを取り付ける事を可能にして装飾とする。
下記特許文献１。
【先行技術文献】
【特許文献】
【０００３】
【特許文献１】  ＵＳ３００５２８２  Ａ
【考案の概要】
【考案が解決しようとする課題】
【０００４】二輪車の油圧式ブレーキマスターシリンダーのリザーブタンクキャップは上面が平面でありこれまでにその平面を活用した装飾の事例は無かった。
この平面を活用し人形等の玩具を乗せ装飾に活用するために人形等の玩具の固定に適した形状のリザーブタンクキャップを考案した。
【課題を解決するための手段】
【０００５】部品上面に人形等の玩具を取り付ける為の突起を形成する。
【考案の効果】
【０００６】部品上面の突起に丁度嵌る人形等の玩具を取り付け装飾の一部に使用。
取り付けた状態を写真に撮りインターネット上のソーシャルネットワークサービス等において報告したところ写真を見た人達から可愛いという感想を多数寄せられていることから装飾としての効果が確認出来る。
【図面の簡単な説明】
【０００７】
【図１】三角投映法による上面図。人形固定用の突起が並んでいる事が確認できる。
【図２】三角投映法による下面図。油圧式ディスクブレーキのマスターシリンダーリザーブタンクキャップに必要なダイヤフラム上側へ通じる通気口と通気通路が確認出来る。
【図３】上面の真上からの図。長辺・短辺の寸法と取り付けビス用のネジ穴の皿ビスの受け穴の逆円錐の基部の直径が明記してあり、人形取り付けの為の突起の配置間隔も明記した。
【図４】全体の厚さと突起部分の高さの表記。
【図５】短辺の側面の通気口の幅と高さの表記。
【図６】下面の縁の内側の寸法と取り付け穴の間隔と穴の直径の表示。
【図７】下面の掘り込み深さの表記。
【考案を実施するための形態】
【０００８】下面には油圧式ブレーキのリザーバータンクキャップとして必要な通気口を短辺の下面から中央へ向けて溝を設け、下面中央にはくぼみがあり、そこまで溝は繋がる構造を有する。上面には人形等の玩具取り付けの為の突起を整列させて設け、突起一つは円柱の形状で高さ２ｍｍ円の直径が５ｍｍで形成される。
【実施例】
【０００９】無し
【産業上の利用可能性】
【００１０】無し
【符号の説明】
【００１１】１．人形等の玩具を取り付ける為の円柱状の突起
２．二輪車油圧式ブレーキマスターシリンダーのリザーブタンクキャップに必要な下面に取り付けるダイヤフラムの上側への通気口
３．二輪車油圧式ブレーキマスターシリンダーのリザーブタンクキャップに必要な下面に取り付けるダイヤフラムの上側への通気通路
４．二輪車油圧式ブレーキマスターシリンダーのリザーブタンクキャップをマスターシリンダー本体へ取り付ける皿ビスの為の逆円錐状の穴
【図１】
0003204390.tif 000003
【図２】
0003204390.tif 000004
【図３】
0003204390.tif 000005
【図４】
0003204390.tif 000006
【図５】
0003204390.tif 000007
【図６】
0003204390.tif 000008
【図７】
0003204390.tif 000009
(57)【要約】      （修正有）【課題】長時間の水中歩行や遊泳を可能にした水中息継ぎ道具を提供する。【解決手段】水面上での用具の安定化を図るリング状の鉄１を発泡スチロール２で包み、それを円盤状プラスチック３で囲み、その中央部を貫徹させた穴にビニールホース４を通した上でホース４の一端をシュノーケル５に接続させる。【選択図】図１
0003204372.tif 000002
【実用新案登録請求の範囲】
【請求項１】
リング状の鉄を発泡スチロール等の浮遊物体で包み、それらをさらに円盤状のプラスチックで囲み、中央部に設けた穴へビニールホースを通して、そのホースの一端をシュノーケル用具に接続させ、長時間の水中歩行や遊泳を可能にした水中息継ぎ道具。
【考案の詳細な説明】
【技術分野】
【０００１】本考案は水中歩行・遊泳等に使用する息継ぎ器具に関する。
【背景技術】
【０００２】従来のシュノーケルでは潜水中の息継ぎはできず、息を吐くのみの使用であった。
【考案の開示】
【考案が解決しようとする課題】
【０００３】しかし、これでは潜水中の長時間歩行や遊泳及び作業等は不可能であり、息継ぎのために頻繁に水面上に浮上しなければならず、極めて不便である。
【課題を解決するための手段】
【０００４】そこで、器具全体の水面上での安定化を図るリング状の鉄を発泡スチロールで包み、それを円盤状プラスチックで囲み、その中央部を貫鉄させた穴にビニールホースを通した上でホースの一端をシュノーケルに接続させた（図１）。これにより水中での長時間歩行・遊泳・作業等を可能とした。
【考案の効果】
【０００５】よって、本考案の水中歩行・遊泳用息継ぎ器具により、潜水中の歩行や遊泳・作業等の長時間の息継ぎが可能となり、また通常と違い海面等の波が荒れて万一水がホース内に浸入しても、従来のシュノーケルにある排水弁７により浸入した水は容易に吐き出させるので、極めて良好な息継ぎが可能となるのである。
【考案を実施するための最良の形態】
【０００６】本考案の図面１の鉄状リング１は波のある水面上でホース４の安定化のために不可欠の重りである。リング状であるのはホースを貫通させるための形状で、その外径は１０ｃｍ、内径７ｃｍ、厚み１．５ｃｍほどの物が良い。発泡スチロール２は鉄状リング１やホース４を浮化させるもので、それらがバラバラに崩れぬよう全体を包みこんで保護したのが円盤状のプラスチック３である。これら１〜４のセットにより、ホースの長さを使用目的に合わせ長くしても器具全体が安定して水面上を漂うことを可能にしている。ホースの一端は排出口７の付いたシュノーケル５に当接すれば良い。
【図面の簡単な説明】
【０００７】
【図１】本考案に係るメインの水中息継ぎ道具をシュノーケルに接続させた断面図である。
【図２】本考案品を水中使用した時のイメージ参考図である。
【符号の説明】
【０００８】
0003204372.tif 000003
５．シュノーケル    ６．シュノーケル吸入部    ７．シュノーケル排水口
【図１】
0003204372.tif 000004
【図２】
0003204372.tif 000005
(57)【要約】      （修正有）【課題】取り外して簡単に掃除が出来、冷蔵庫内の温度の上昇や電気代のムダ使いを防止できる、冷蔵庫の棚部分の掃除簡素化のための皿を提供する。【解決手段】奥側が深目で手前側が浅目のシリコン製の皿形を棚の上に置く。間違がってこぼしてもその底の厚目の掃除用皿を取り出して冷蔵庫を閉めてゆっくり洗う事ができる。【選択図】図２
0003204346.tif 000002
【実用新案登録請求の範囲】
【請求項１】
冷蔵庫の棚部分の上に置く掃除用浅い皿
【請求項２】
請求項１にある浅い皿はシリコン製の底厚目である  冷蔵庫の棚部分の上に置く掃除用浅い皿
【考案の詳細な説明】
【技術分野】
【０００１】本発明は冷蔵庫の棚部分の汁こぼしなどの掃除の簡素化になる物に関する【０００２】冷蔵庫の棚に出来上がった料理（特に汁物）を置きますが、他の物を取ろうとした時に弾みにこぼして時、沢山こぼしても大変ですし少しの場合は気付かず汚れが冷蔵庫本体と棚部分の結合部分にも乾いた汚れが入り込み、その乾いた汚れを取るのは冷蔵庫を開けっぱなしにする時間が長くなり、冷蔵庫内の温度の上昇してしまいます、現在はこぼれない様に容器のフタや強力なラップが売られてますがこの皿の様な形の物が敷かれていればシリコン製のこの物を出して洗うだけで済み衛生上も電気代等、経済的に向上する物
【考案の概要】
【考案が解決しようとする課題】冷蔵庫の棚の部分の特に汁の汚れや棚部分と冷蔵庫本体との結合部分に入りこんだ汚れを取るには乾いたので時間がかかり冷蔵庫中の温度の上昇に伴う電気代のムダ使いがあります
【課題を解決する為の手段】
以上の課題を解決する為に棚部分の上にシリコン製の形として、奥側は深目、手前側は浅目の底の部分が厚目の皿の様な形の物を置き汚れたら何度でも繰り返し取り出して洗う事が出来る
【考案の効果】
乾燥した汚れを取る掃除の時に冷蔵庫を開けっぱなしにならず取り外して簡単に掃除が出来  冷蔵庫内の温度の上昇や電気代のムダ使いをせずに買った時の冷蔵庫を維持出来る
【図面の簡単な説明】
【図１】一般的な冷蔵庫の図で本考案物件の使用する位置の図
【図２】冷蔵庫に取りつけた状態と外した状態の図  赤くなっている所は底部分
【図３】
0003204346.tif 000003
【実施例】冷蔵庫の棚部分の上にシリコン製の浅い皿の形の物を敷いておき掃除の時に外して何回でも繰り返して洗い使用する事が出来る
【符号の説明】  １  一般的な冷蔵庫
２  装着する所の棚部分
３  装着した状態
４  横から見た皿
５  上から見た皿
【図１】
0003204346.tif 000004
【図２】
0003204346.tif 000005
【図３】
0003204346.tif 000006
【手続補正書】
【提出日】平成28年3月11日(2016.3.11)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫の棚部分の上に置く掃除用浅い皿の形態で素材はシリコン製で手前が浅目で奥の辺が高目になっている底厚目の冷蔵庫の棚部分の掃除の簡素化の為の皿
【手続補正２】
【補正対象書類名】明細書
【補正対象項目名】全文
【補正方法】変更
【補正の内容】
【考案の詳細な説明】
【技術分野】
【０００１】本発明は冷蔵庫の棚部分の汁こぼし等の掃除の簡素化になる物に関する【０００２】冷蔵庫の棚に出来上がった料理（特に汁物）を置きますが他の物を取ろうとした時にはずみにこぼしてしまった時、沢山こぼした時はもちろん少しの場合は気付かず、汚れがこびりつき冷蔵庫本体と棚部分の結合部分にも乾いた汚れが入り込みそのこびりついた汚れを取るのは冷蔵庫を開けっぱなしにする時間が長くなり冷蔵庫内の温度の上昇を回避できません、今はこぼれない様に容器のフタや強力なラップなどが売られていますが完全ではありません。本物件の皿の様な形の物が置かれていればシリコン製のこの本件の物を出して洗い又はめるだけで済み衛生上にも電気代等の経済的に向上する物
【考案の概要】
【考案が解決しようとする課題】
【０００３】冷蔵庫の棚の部分の汚れや棚部分と冷蔵庫本体との結合部分に入りこんだかわいた汚れを取るのは時間がかかり冷蔵庫の中の温度の上昇に伴なう電気代のムダ使いが解決します
【課題を解決する為の手段】
【０００４】以上の課題を解決する為に棚部分の上にシリコン製の物で形として奥側は深目（高目）手前側は浅目（低目）の底の部分が厚目の皿の様な形態の物を棚部分の上に置き汚れたら何度でも繰り返し取り出して洗う事が出来る
【考案の効果】
【０００５】特に乾燥した汚れを取る掃除の時に冷蔵庫を開けっぱなしにならず取り外して簡単に掃除が出来冷蔵庫内の温度の上昇による電気代のムダ使いをせずに買った時の冷蔵庫内の食品の維持が出来る
【図面の簡単な説明】
【０００６】
【図１】一般的な冷蔵庫の図で本考案物件の使用する位置の図
【図２】冷蔵庫に取り付けた状態と外した状態の図
【図３】外した本物件の図で奥側は深目  手前正面は浅目になっており黒く塗りつぶしてある底の部分は厚目になっている
【実施例】
【０００７】冷蔵庫の棚部分の上にシリコン製の浅い皿の形の物を敷いて置き掃除の時に外して何回でも繰り返して洗い使用する事が出来る
【符号の説明】
【０００８】１．一般的な冷蔵庫
２  装着する所の棚部分
３  装着した状態
４．横から見た場合
５  上から見た場合
(57)【要約】      （修正有）【課題】ヘアゴム・輪ゴムを収納し紛失防止を可能にするヘアゴム・輪ゴム紛失防止円形型器具を提供する。【解決手段】円形型器具本体１に、真上から見て斜めに切れ間２を設け、その切れ間を突起付きの取り出し口とすることで、ヘアゴム・輪ゴムに対して切れ間が鋭角を形成し、また突起が付いている為、ヘアゴム・輪ゴムの紛失または落下防止をする。【選択図】図１
0003204342.tif 000002
【実用新案登録請求の範囲】
【請求項１】
円形型器具を真上から見て斜めに切れ間を設け、その切れ間を突起付きの取り出し口とすることで、ヘアゴム・輪ゴムに対して切れ間が鋭角を形成し、また突起が付いている為、ヘアゴム・輪ゴムの紛失または落下防止を可能にしたところを特徴とするヘアゴム・輪ゴム紛失防止円形型器具。
【考案の詳細な説明】
【技術分野】
【０００１】  本考案は、円形型器具にヘアゴムや輪ゴムの紛失防止の為に突起付きの取り出し口を設けた、器具に関するものである。
【背景技術】
【０００２】  従来ではヘアゴムや輪ゴムを収納する場合、フックに掛けてまとめたり、カゴあるいは小物入れ等の容器に収納していた。
【考案の概要】
【考案が解決しようとする課題】
【０００３】  従来ではヘアゴムや輪ゴムなどは収納専用の容器が無い為に紛失する場合が多く、必要となる度に購入するなど経済的な無駄が発生していた。従って、ヘアゴム・輪ゴムの収納に特化した器具により経済的な無駄を省くことが可能となり、前述の欠点を解決しようとするものである。
【課題を解決するための手段】
【０００４】  本考案は円形型器具を真上から見て斜めに切れ間を設け、その切れ間を突起付きの取り出し口とすることで、ヘアゴム・輪ゴムに対して、切れ間が鋭角を形成し、また突起が付いている為、ヘアゴム・輪ゴムの紛失または落下防止を可能にし問題点を解決している。
【考案の効果】
【０００５】  上記の様に、本考案のヘアゴム・輪ゴム紛失防止円形型器具は円形型器具本体を真上から見て斜めに切れ間を設け、突起付きの取り出し口とすることで、ヘアゴム・輪ゴムの紛失や落下防止を可能にしている。そして器具本体が円形型なため任意のヘアゴム・輪ゴムを取り出しが可能となり、フックなどに係止することも出来、任意の場所に係止可能となりスペースの有効利用にも繋がる。
【図面の簡単な説明】
【０００６】
【図１】本考案のヘアゴム・輪ゴム紛失防止円形型器具の実施例を示す正面図である。
【図２】本ヘアゴム・輪ゴム紛失防止円形型器具を真上から見た図である。
【考案を実施するための形態】
【０００７】  円形型器具本体を正面から見て、中心から上部の部分に斜めに切れ間を設けることで開閉自在となる。また器具自体の形態が円形な為、任意のフックに掛けることが出来、様々な場所への設置が可能となり、スペースの有効利用が可能となる。
【実施例】
【０００８】  以下、添付図面に従って一実施例を説明する。１は耐久性のある強化プラスチック等適宜素材にて一体形成された円形器具本体、２はヘアゴム・輪ゴムを収納するために、該円形器具本体に対して斜めに設けた突起付きの取り出し口で、この取り出し口からヘアゴム・輪ゴムを出し入れをする。
【産業上の利用可能性】
【０００９】  本考案は、例えば、本器具を使用してヘアゴムや輪ゴムなどを主とした円形の小物を収納しておくことができ、さらに任意のフックなどに掛けることでスペースを有効利用できる器具に関する。
【符号の説明】
【００１０】  １  ヘアゴム・輪ゴム紛失防止円形型器具本体
２  ヘアゴム・輪ゴム突起付き取り出し口
【図１】
0003204342.tif 000003
【図２】
0003204342.tif 000004
(57)【要約】      （修正有）【課題】本装置を組込む対象の材質によって、蓄電効率が左右されずに発光及び蓄電をする光る装置を提供する。【解決手段】本装置１には発光をする発光素子４と、制御を行うマイコン３と、電力を保持する蓄電装置２を本装置１内に有する。本装置１上に配置された蓄電装置２は、任意の外部機器と接触または非接触で蓄電する。本装置１は光らせる対象５と分離合体８してもよく、光らせる対象５と分離合体８を行わない場合は任意の外部機器と接触により蓄電が可能である。本装置１に内蔵された蓄電装置２が、本装置１と分離合体８することができ、どちらの状態でも蓄電が出来る。【選択図】図１
0003204365.tif 000002
【実用新案登録請求の範囲】
【請求項１】
本装置には発光をする発光素子と、制御を行うマイコンと、電力を保持する蓄電装置を本装置内に有する事を特徴とする光る装置。
【請求項２】
光る装置において、本装置上に配置された蓄電装置は、任意の外部機器と接触または非接触で蓄電することを特徴とする請求項１に記載の光る装置。
【請求項３】
光る装置において、本装置は発光をさせる対象物と分離合体してもよく、発光をさせる対象物と分離合体を行わない場合は任意の外部機器と接触により蓄電が可能であることを特徴とする請求項１に記載の光る装置。
【請求項４】
光る装置において、本装置上に配置された蓄電装置は、本装置と分離合体してもよく、本装置と蓄電装置が分離する場合は、蓄電装置部のみを取り出して、接触または非接触で蓄電する事が可能であることを特徴とする請求項１に記載の光る装置。
【考案の詳細な説明】
【考案の詳細な説明】
【技術分野】
【０００１】  本考案は、本装置により光らせる対象に組込、外部から電気の蓄電を行って発光する光る装置である。
【背景技術】
【０００２】  以前の製品は、電磁誘導による非接触の蓄電によって、内蔵する発光素子等を光らせる製品であった。【０００３】  特許文献１に記載の光る装飾品の装置は、装飾品に非接触で蓄電を行い発光させる。【０００４】
【特許文献１】  実用新案登録第３２０１２９０号  公報
【考案の概要】
【考案が解決しようとする課題】
【０００５】  以前の方式は非接触式を使っていたが、非接触式の場合は電気受給部分の周りに金属や電波の遮蔽する物質があると蓄電効率が下がるという欠点があった。【０００６】  また電気受給効率の悪い場合は、電気受給部分を金属や電波の遮蔽物等の、電気受給効率を下げる物質から離して取り付けていたが、機構が複雑になることで、外観が悪くなることや使い勝手が悪くなるという欠点があった。【０００７】  そこで、本考案は、これらの問題を解決することを目的とする。
【課題を解決するための手段】
【０００８】  上述した課題を解決し、目的を達成するため、この光る装置は、発光をする発光素子と、制御を行うマイコンと、電力を保持する蓄電装置から構成される。【０００９】  本装置は光らせる対象と分離合体が可能である。合体時または、分離時でも蓄電装置に電力を送ることができる事を特徴する。【００１０】  本装置の蓄電装置は本装置と分離合体が可能である。合体時または、分離時でも蓄電装置に電力を送ることができる事を特徴する。【００１１】  本装置は分離をせずに蓄電する場合は、接触する方式で蓄電することを特徴とする。
【考案の効果】
【００１２】  以上のように本考案によれば、金属が周りあっても十分に蓄電する事が可能となり、サイズが小さくなり、外観の問題も改善されるというメリットが生じた。【００１３】  また、光の色を変えたい、発光パターンを変えたいという要望にこたえられるというメリットが生じた。【００１４】  従来の製品のように装飾品の装置としても使えるほか、光るユニットとして応用ができるメリットが生じた。
【図面の簡単な説明】
【００１５】
【図１】本考案光る装飾品の装置本体の構成を示す図である。
【考案を実施するための形態】
【００１６】  本考案は外部からの電気を本装置１内の蓄電できる蓄電装置２を搭載する事により、常にマイコン３が作動し続けることが出来、コンピュータ制御により複雑な発光パターンを制御し、またコンピュータ制御により電圧管理を行う事で発光時間を制御する手段の光る装置である。
【００１７】  本考案の実施の形態の図面を参照して詳細に説明する。図１から、本考案は本装置１に蓄電装置２とマイコン３と発光素子４を配置する手段の光る装置である。
【００１８】  本考案の本装置１は、光らせる対象５に取付け発光する事が出来る事を特徴とする光る装置である。
【００１９】  本考案のマイコン３は、発光パターンを制御し、様々な発光パターンや発光のオンオフの切換えや発光量の調整を行う事で電気の使用量を抑制し、より長い時間発光しつづけることが出来ることを特徴とする光る装置である。
【００２０】  本考案の蓄電装置２は、外部の機器と接触蓄電６が可能であり、なお且つ電磁誘導方式を用いた非接触蓄電７が出来ることを特徴とする光る装置である。
【００２１】  蓄電装置２は本装置１と分離させる事が可能であり、本装置１から分離して単体でも蓄電が出来ることを特徴とする光る装置である。
【００２２】  発光素子４はマイコン３に書き込まれたプログラムに従って、点滅する。
【符号の説明】
【００２３】１    本装置
２    蓄電装置
３    マイコン
４    発光素子
５    光らせる対象
６    接触蓄電
７    非接触蓄電
８    分離合体
【図１】
0003204365.tif 000003
(57)【要約】      （修正有）【課題】内視鏡挿入部の外面と感染防止シースの内面が固着した場合でも、空気または水を送ることで固着が無くなり、容易に抜去可能となる感染防止シースを提供する。【解決手段】医療用内視鏡の挿入部１６を覆う感染防止シース２において、可とう性のある薄肉チューブ２１と、そのチューブ先端内腔を閉じる先端封止部材２２、内視鏡挿入部１６を入れる為の開口部２３からなり、先端封止部材２２から開口部２３の間に薄肉チューブ２１の内面に通じる送気・送水ポート２４を有している。【選択図】図１
0003204367.tif 000002
【実用新案登録請求の範囲】
【請求項１】
医療用内視鏡の挿入部を覆う感染防止シースにおいて、可能性のある薄肉チューブと、そのチューブ先端内腔を閉じる先端封止部材、内視鏡挿入部を入れる為の開口部からなり、先端封止部材から開口部の間に薄肉チューブの内面に通じる送気・送水ポートを有していることを特徴とする。
【請求項２】
感染防止シースの内腔と内視鏡挿入部の外面もしくは折れ止め部との外面との気密、水密効果を有するシール機構を設けたことを特徴とする請求項１記載の感染防止シース。
【考案の詳細な説明】
【技術分野】
【０００１】  この発明は、医療用内視鏡の挿入部を覆う感染防止シースに関する。
【背景技術】
【０００２】  従来の内視鏡用感染防止シースは図２に示すように、内視鏡の挿入部を覆うように設けられたものである。
【先行技術文献】
【特許文献】
【０００３】
【特許文献１】特開２０００−１７１７３０号公報
【０００４】
【特許文献２】特開２００５−１５２４１６号公報
【考案の概要】
【考案が解決しようとする課題】
【０００５】  しかしながら、以上の技術によれば、内視鏡検査終了後に感染防止シースを取り外す際に、内視鏡の本体を把持する一人目の手と、紐状の部材を把持し、引く操作をする二人目の両手が必要となる。つまり、感染防止シースを抜去する為には２人以上の人手が必須となる課題があった。また、構想的にも紐をシースの内腔の最先端に紐の引っぱり力に耐えうるだけの固定機構を有する必要があり、構造的にも複雑、かつ、高価になる問題があった。また、２本の紐の分だけ感染防止シースを太く設計する必要があり、外径の太い内視鏡を挿入する事で、患者への苦痛に繋がっていた。【０００６】  一方で上記先行技術の様に紐を設けない構造では、使用後に感染防止シースを取り外す際に感染防止シースの先端部を把持して取り外す事となるが、感染防止シースの内面と内視鏡挿入部外面が樹脂どうしであるため、抵抗が大きく固着した状態になる事が少なくなかった。固着した状態で無理に取り外すと、内視鏡の挿入部自体を破損してしまい、高額な修理代が必要となっていた。また、使用後の感染防止シースは菌が付着しており、グローブ越しであっても汚染部を握る事は感染を助長することにも繋がる。【０００７】  そこで、この発明は、１人で感染防止シースの抜去操作が行え、かつ、外径を犠牲にせず、安価な感染防止シースを提供することを課題とする。尚、類似の技術として内視鏡の挿入部に被せるオーバーチューブが存在するが、これらは処置具の挿入を補助する事が目的であり、構造的にも先端は封止されておらず、感染防止の効果はない。
【課題を解決するための手段】
【０００８】  以上の課題を解決するために、感染防止シースの内視鏡挿入口とシース先端部の間に内視鏡挿入部の外面と感染防止シースの内面をシリンジ等で送気もしくは送水が可能なポートを設けたことを特徴とする。
【考案の効果】
【０００９】  本発明によれば、内視鏡挿入部の外面と感染防止シースの内面が固着した場合でも、空気もしくは水を送る事で固着が無くなり、容易に感染防止シースが抜去可能となる。
【図面の簡単な説明】
【００１０】
【図１】この発明の第一の実施形態の内視鏡および感染防止シースの全体図である。
【図２】この発明の第一の実施形態を示す感染防止シースの断面図である。
【図３】この発明の第二の実施形態を示す感染防止シースの断面図である。
【考案を実施するための形態】
【００１１】  この発明の一実施形態を、図１に示す。  感染防止シースは、樹脂性（ポリエチレン、ポリウレタン、フッ素樹脂等）の可能性のある薄肉チューブ２１と、その先端を封止する形で覆う透明度の高い先端封止部材２２（PET、TPX、シリコン等）、内視鏡挿入部１６を入れる為の開口部２３からなり、先端封止部材２２と開口部３３の間に、薄肉チューブ２１の内面に通じる送気・送液ポート２４を有している。開口部３３の内腔には、内視鏡挿入部１６もしくは折れ止め部１５との水密・気密を保つ、シール部２５が備わっている。
【００１２】「実施形態の効果」  この実施形態によれば、内視鏡検査終了後に内視鏡挿入部１６と感染防止シース２が固着した際にも、シリンジ３を送気・送水ポート２４に接続し、送気または送水することで、容易に固着を解除する事が出来る。また、内視鏡本体１を片手で握った状態でも、もう一方の手でその送気、送水操作が可能となり、固着が解除されているため開口部２３を把持知る事で、術者一人でも感染防止シース２の抜去操作が可能となる。構造的にもシンプルであり、コストダウンにも貢献する。更に開口部２３を把持することで、菌が付着した感染防止シースの先端部を手で触る事無く、感染防止シースを抜去する事が可能となり、感染の拡大を予防する効果もある。
【００１３】「他の実施形態」  他の実施形態では、内視鏡挿入部を入れる為の開口部２３に内視鏡挿入部１６もしくは折れ止め部１５と気密、水密性を保つためのシール構造２５を設けたものでも良い。また、開口部２３と送気・送水ポート２４を一体としたものでもよく、薄肉チューブ２１自体に気密、水密性を保つためのシール構造２５を設けた物でも構わない。シール性能は完全なシール能力が必要ではなく、薄肉チューブ２１の内径と内視鏡挿入部１６の外径、もしくは折れ止め部１５との外径とのクリアランスを0.1mmから2mm程度とするレベルでも充分に機能する。
【符号の説明】
【００１４】１・・・内視鏡本体２・・・感染防止シース３・・・送気・送液用シリンジ１１・・・内視鏡本体１２・・・光源１３・・・接眼部１４・・・挿入部１５・・・折れ止め部１６・・・内視鏡挿入部２１・・・可能性薄肉チューブ２２・・・先端封止部材２３・・・開口部２４・・・送気・送液ポート２５・・・シール部
【図１】
0003204367.tif 000003
【図２】
0003204367.tif 000004
【図３】
0003204367.tif 000005
【手続補正書】
【提出日】平成28年3月23日(2016.3.23)
【手続補正１】
【補正対象書類名】実用新案登録請求の範囲
【補正対象項目名】請求項１
【補正方法】変更
【補正の内容】
【請求項１】
医療用内視鏡の挿入部を覆う感染防止シースにおいて、可とう性のある薄肉チューブと、そのチューブ先端内腔を閉じる先端封止部材、内視鏡挿入部を入れる為の開口部からなり、先端封止部材から開口部の間に薄肉チューブの内面に通じる送気・送水ポートを有していることを特徴とする感染防止シース。
(57)【要約】      （修正有）【課題】机上の消しゴムのカス・衣類やジュウタン等に付着した細かいゴミを、身近にある粘着テープで簡単に取り除くことが出来るテープカッターを提供する。【解決手段】粘着テープの種類によりボックス型ａ・円筒型ｂのテープカッターがあり、ケースの外周部に粘着テープ引出口３を一か所設け、引出し口を基点とし一方にテープカッター８を、他方に粘着テープ付着装置を取り付ける。テープカッターケースから引き出した粘着テープがテープ回転ローラー４とククッションマット５を経由し、ケース本体の外周部に取り付けたカギ形の上部面を４５度の角度にカットしたテープ固定具６に張りつけられる。テープ固定具は粘着部を外側にした粘着テープをクッションマットにガイドし、テープはカギ形の固定装置の下部を通過接着し、折り返されたテープが４５度にカットした固定装置の上部面に固定される。【選択図】図１
0003204868.tif 000002
【実用新案登録請求の範囲】
【請求項１】
粘着テープが収納できるケースの外周部に、テープ引出し口を一か所設け、その引出し口を基点とし左右一方の外周部にテープカッターを、もう一方にゴミ付着装置を取り付けた構造を特徴としたテープカッターケース。
【請求項２】
テープカッターケース本体に取り付けた、テープ引出し部のテープ回転ローラー、外周部のクッションマット・テープ装着固定具やテープ逆回防止・残量確認窓を有した構造を特徴としたゴミ付着装置付きテープカッターケース。
【請求項３】
テープカッターケース本体の外周部に取り付けた、テープ端を固定するカギ形の上部面を４５°程度にカットした粘着テープ装着固定具。
【考案の詳細な説明】
【技術分野】
【０００１】本案は、粘着テープを活用し、身近な細かいゴミを粘着テープに付着させ、そのテープを簡単にカットすることができるゴミ付着装置付きテープカッターケース。
【背景技術】
【０００２】既に粘着テープを活用した製品はあるが、粘着テープの脱着が面倒なものもある。
数多く存在する粘着テープが接着利用だけでなく、他の用途による有効活用及び既存製品にない特徴と新製品の開発。
【考案の開示】
【考案が解決しようとする課題】
【０００３】テープカッターケース本体のテープ引出し口を一か所設け、その外周部を活用し、テープカット機能とゴミ取り機能を有したテープカッターケースの開発。【０００４】テープカッターケース本体にゴミを付着させるための粘着テープの固定やゴミを効率よく付着させる方法。そのゴミが付着したテープを簡単にカットする方法。
【課題を解決するための手段】
【０００５】粘着テープが収納できるボックス型や円筒型のテープカッターケースの外周部に、テープ引出し口を一か所設け、その引出し口を基点とし、左右一方の外周部にテープカッター、もう一方にゴミ装着装置を取り付ける。【０００６】テープカッターケースのテープ引出し口から粘着テープをスースに引き出すための回転ローラーをテープ引出し口に取り付ける。【０００７】引き出した粘着テープをスムースにガイドし、且つゴミの付着の精度を高めるための、クッションマットを収納テープカッターの左又は右外周部に取り付ける。【０００８】引き出された粘着テープは、テープ回転ローラーやゴミ付着装置のクッションマット経由するが、そのテープの端をしっかり張りつけ固定するため、カギ形の上部面を４５°にカットした粘着テープ装着固定具をテープカッターケース本体の外周部に取り付ける。
【考案の効果】
【０００９】本考案のゴミ装着装置付きテープカッターケースの開発により、粘着テープの装着からテープのカットまで、一連の流れがスムースになり、簡単にゴミ処理の用途に対応可能になった。尚、課題である粘着テープの固定は、テープ固定具の形状をカギ形でテープを受ける上部面を４５度にカットした固定装置により、装置に固定したテープの端が、クッションマット上の粘着テープ等に接着しなくなった。
【図面の簡単な説明】
【００１０】
【図１】図１ー（ａ）ボックス型のゴミ付着装置付きテープカッターケース斜視図  （ｂ）円筒型のゴミ付着装置付きテープカッターケース斜視図
【図２】図２ーテープ装着固定具の斜視図
【符号の説明】１．テープカッターケース本体
２．テープカッター蓋
３．テープ引出し口
４．回転ローラー
５．クッションマット
６．テープ装着固定具
７．テープ逆回転防止・残量窓
８．テープカッター
【図１】
0003204868.tif 000003
【図２】
0003204868.tif 000004
【手続補正書】
【提出日】平成28年4月5日(2016.4.5)
【手続補正１】
【補正対象書類名】実用新案登録請求の範囲
【補正対象項目名】全文
【補正方法】変更
【補正の内容】
【実用新案登録請求の範囲】
【請求項１】
粘着テープが収納できるケースの外周部に、テープ引出し口を一か所設け、その引出し口を基点とし左右一方の外周部にテープカッターを、もう一方にゴミ付着装置を取り付けた構造を特徴としたテープカッターケース。
【請求項２】
テープカッターケース本体に取り付けた、テープ引出し部の回転ローラー、外周部のクッションマット、テープ装着固定具、及び、テープ逆回転防止・残量確認窓を有した構造を特徴とした請求項１に記載のゴミ付着装置付きテープカッターケース。
【請求項３】
テープ装着固定具を、テープカッターケース本体の外周部に取り付けた、テープ端を固定するカギ形の上部面を４５°程度にカットした粘着テープ装着固定具とした請求項２に記載のテープカッターケース。
(57)【要約】      （修正有）【課題】食品を容器に密閉した膜蓋をはがすことができる膜蓋はがし器具を提供する。【解決手段】細い半丸線鋼材１を二つ折りにして、断面を丸形状として、丸棒鋼材を縦に二分割した状態と同じにして握り部２に植え込み固定する。又膜蓋のつまみを挟み易くするため、半丸線鋼材の片側を長くストレート３にし、片側は先端を反らした短い軸４として膜蓋はがし器具を構成している。【選択図】図２
0003204866.tif 000002
【実用新案登録請求の範囲】
【請求項１】
断面半丸線の細い棒状の鋼材を、二つ折りにして、断面丸形状の軸となし、二つ折り部分を握り部に植え込み固定することを特徴とした，膜蓋はがし器具。
【請求項２】
膜蓋のつまみ部を器具に挿入することを容易にするため、二つに合わせた半丸線の片側をストレートとし、片側を短く先端を上部に反らした形状を特徴とした、膜蓋はがし器具。
【考案の詳細な説明】
【技術分野】
【０００１】  本考案は、食品を容器に密閉した膜蓋をはがす器具に関するものである。
【背景技術】
【０００２】  容器に食品を密閉した膜蓋は、膜の一部に舌状に出したツマミを設けてあり、その部分を指で摘まんで剥がしている。【０００３】  しかしながら高齢者に於いては、指先の力が衰え、膜蓋を剥がすのに苦労している。その解決策として、細い軸の先端を二分割し膜蓋のつまみ部分を挟み、回転してつまみ部分を巻き込んで取るはがし器具を考案した。
【先行技術文献】
【０００４】
【特許文献】
【特許文献】  実登  ３１５２９３４
【考案の概要】
【考案が解決しようとする課題】
【０００５】  人間は、高齢化に伴い、指先の力と視力も弱くなり、容器に張られた膜蓋のつまみ部に、膜蓋はがし器具の細い軸の先端を合わせるのに苦労している。【０００６】  又、器具の製作に当たり、細い軸を縦に二分割するには、放電加工によるワイヤーカット又はコッターマシンを使用する為、加工時間が多かかり、コスト高となる欠点があった。
【課題を解決するための手段】
【０００７】  そこで細い丸棒を縦に二分割することを止め、割りピンの製作で行われている半丸線の鋼材を二つ折りにして、丸形状にしているいる工法を採用、細い半丸線の鋼材１を所定の長さに切断し、軸断面が丸形状になるよう二つ折りにして、曲げた部分を握り部２に植え込み固定した。【０００８】  又、膜蓋のつまみ部分を、膜剥がし器具の軸の先端に合わせ易くするため、二つ折りした半丸線１の片側をストレート形状３とし、他の片側はストレート形状３より短くして多少上部に反らした形状４とした。
【考案の効果】
【０００９】  半丸線の細い鋼材１を二つ折りにより、片側の半丸線の先端を反らす工数も、二つ折りの前の時点で成形出来るので、大きく工数の削減が出来る。
【図面の簡単な説明】
【００１０】
【図１】  本考案に係わる膜蓋はがし器具の平面図
【図２】  側面断面図
【図３】  軸部断面図
【図４】  膜蓋つまみへ器具先端の挿入
【符号の説明】
【００１１】１        半丸線の軸を二つ折りにして丸形状にした軸
２        握り部
３        ストレートの長い軸
４        先端を反らした短い軸
５        膜蓋のつまみ膜
【考案を実施するための形態】
【００１２】  本考案に係わる膜蓋はがし器具は、図に示すように半丸線の軸を二つ折りにして丸形状にした軸１と、握り部２から構成される。
【００１３】  二つ折りした半丸線の片側はストレートの長い軸３とし、他の片側は先端を反らした短い軸４とする
【実施例１】
【００１４】ストレート３にした部分に膜蓋のつまみ部分５を乗せ押し込み、膜蓋のつまみ部を挟み込むので多少視力が衰えた高齢者でも簡単に作業できる。  図−４
【産業上の利用可能性】
【００１５】  本考案による膜はがし器具は、一般家庭用に利用されるものである。
【図１】
0003204866.tif 000003
【図２】
0003204866.tif 000004
【図３】
0003204866.tif 000005
【図４】
0003204866.tif 000006
【手続補正書】
【提出日】平成28年3月28日(2016.3.28)
【手続補正１】
【補正対象書類名】実用新案登録請求の範囲
【補正対象項目名】全文
【補正方法】変更
【補正の内容】
【実用新案登録請求の範囲】
【請求項１】
断面半丸線の細い棒状の鋼材を、二つ折りにして、断面丸形状の軸となし、二つ折り部分を握り部に植え込み固定することを特徴とした、膜蓋はがし器具。
【請求項２】
膜蓋のつまみ部を器具に挿入することを容易にするため、半丸線の鋼材を二つに合わせ、片側をストレートとし、片側を短く先端を上部に反らした形状の軸を備えた、膜蓋はがし器具。
(57)【要約】      （修正有）【課題】商品挿入後、袋内より落ちこぼれが無いように、袋を粘着テープ等の付属部品を用いないで封緘するとともに、容易に持ち運ぶことができる手提げ袋を提供する。【解決手段】プラスチックフイルムにおいて、第一パネルと第二パネルの両横３、及び底部４を接続された袋の第一パネルと第二パネルの上部商品挿入部に手提げ用の孔５を開け、パネルの片方のみに手提げ用孔より下に袋幅方向に粘着剤塗布部６を設ける。【選択図】図１
0003204864.tif 000002
【実用新案登録請求の範囲】
【請求項１】
プラスチックフイルムにおいて、第一パネルと第二パネルの両横、及び底部を接続された袋の．第一パネルと第二パネルの上部商品挿入部に手提げ用の孔を開ける。前記手提げ袋の片方のパネルのみに手提げ用孔より下に袋幅方向に粘着剤を塗布された手提げ袋。
【考案の詳細な説明】
【考案の詳細な説明】
【技術分野】
【０００２】  手提げ袋に関する【０００３】
【考案の開示】
【考案が解決しようとする課題】
【０００４】  手提げ袋において、商品挿入後、袋内より落ちこぼれが無いようにすることを課題とする。【０００５】  手提げ袋において、袋を粘着テープ等の付属部品を用いないで封緘することを課題とする。【０００６】  手提げ袋において、容易に袋を持ち運ぶことを課題とする。
【考案が解決するための手段】
【０００７】  プラスチックフイルムにおいて、第一パネルと第二パネルの両横、及び底部を接続された袋の．第一パネルと第二パネルの上部商品挿入部に手提げ用の孔を開ける手段。
【０００８】  上記第一パネル、又は第二パネルの片方のバネルのみに手提げ用孔より下に袋幅方向に粘着剤を塗布された手段。
【参考文献】
【０００９】  実用新案登録  第３１９６１５５号
考案の名称    開閉自在袋
【考案の効果】
【産業上の利用可能性】
【００１０】  本考案の手提げ袋は、包装用手提げ袋の一例を示せば、商品を袋に収納後、商品がこぼれ出さないように、挿入部を粘着剤塗布部によって、封緘する。【００１１】  上記手提げ袋において、袋を粘着テープ等の付属部品を用いないで封緘することが出来る。【００１２】  本考案の手提げ袋は、一例を示せば、商品Ａを袋に収納後、手提げ用の孔にて、吊り下げ運ぶことが出来る。
【考案の実施するための最良の形態】
【００１３】  本考案の実施の形態を図面を参照しながら詳細に説明する。なお、以下の説明にあたって、同一構成要件については、同一符号を付けて、重複した説明を省略する。
【００１４】  プラスチックフイルムにおいて、第一パネル１と第二パネル２の両横３、及び底部４を接続された袋の．第一パネル１と第二パネル２の上部商品挿入部に手提げ用の孔５を開ける。
【００１５】  上記第一パネル、又は第二パネルの片方パネルのみに、手提げ用孔５より下に袋幅方向に粘着剤６を塗布されている。
【００１６】    本考案に係る手提げ袋は、上述した実施形態に限定されるものではない。本考案に係る手提げ袋の各部の具体的な構成は、変更自在である。
【図面の簡単な説明】
【００１７】
【図１】  本考案に係る手提げ袋の一例を示す正面図。
【図２】  図１のＸ−Ｘ線に沿う要部断面図。
【図３】  図１の実施状態を示す正面図。
【図４】  図３のＹ−Ｙ線に沿う要部断面図
【符号の説明】
【００１８】    １  第一パネル
２  第二パネル
３  パネル横側
４  パネル底部
５  手提げ袋の手提げ用孔
６  手提げ袋の封緘用粘着剤塗布部
Ａ  商品
【図１】
0003204864.tif 000003
【図２】
0003204864.tif 000004
【図３】
0003204864.tif 000005
【図４】
0003204864.tif 000006
【手続補正書】
【提出日】平成28年3月22日(2016.3.22)
【手続補正１】
【補正対象書類名】実用新案登録請求の範囲
【補正対象項目名】全文
【補正方法】変更
【補正の内容】
【実用新案登録請求の範囲】
【請求項１】
プラスチックフイルムにおいて、第一パネルと第二パネルの両横、及び底部を接続された袋の、第一パネルと第二パネルの上部商品挿入部に手提げ用の孔をあける、前記手提げ袋の片方のパネルのみに手提げ用孔より下に袋幅方向に粘着剤を塗布された手提げ袋。
(57)【要約】【課題】保温性を高めたクッションを提供することを目的とする。【解決手段】  本体部２と、覆い部３とを有し、本体部２の外縁部２ｃの一部と、覆い部３の外縁部３ｃの一部を縫接し、本体部２と覆い部３の間に空間４を形成し、該空間４は、開口部５を介して外部と連通するようにした。【選択図】  図３
0003204817.tif 000002
【実用新案登録請求の範囲】
【請求項１】
本体部と、覆い部とを有し、本体部の外縁部の一部と、覆い部の外縁部の一部を縫接し、本体部と覆い部の間に空間を形成し、該空間は、開口部を介して外部と連通するようにしたことを特徴とするクッション。
【請求項２】
前記本体部の外縁部における周方向の半分以上において、覆い部の外縁部と縫接したことを特徴とする請求項１記載のクッション。
【考案の詳細な説明】
【技術分野】
【０００１】
本考案は、クッションに関するものである。
【背景技術】
【０００２】
従来、着座時等に用いるクッションとして、表裏布間にクッション材を入れたものが知られている。このクッションは、その上面に座ることで、座った人の下半身が床に直接触れないようにして、床からの冷気を遮ることができるようにしている。
【考案の概要】
【考案が解決しようとする課題】
【０００３】
しかし、前記従来のクッションでは、このクッションの表面側に下半身が接している部分の身体部しか保温することができず、より暖かくするためには、クッションに接していない身体の露出部を毛布等により覆う必要があった。
【０００４】
そこで、本考案は、従来のクッションよりも、より保温性を高めたクッションを提供することを目的とするものである。
【課題を解決するための手段】
【０００５】
前記の課題を解決するために、請求項１記載の考案は、本体部と、覆い部とを有し、本体部の外縁部の一部と、覆い部の外縁部の一部を縫接し、本体部と覆い部の間に空間を形成し、該空間は、開口部を介して外部と連通するようにしたことを特徴とするものである。
【０００６】
請求項２記載の考案は、請求項１記載の考案において、前記本体部の外縁部における周方向の半分以上において、覆い部の外縁部と縫接したことを特徴とするものである。
【考案の効果】
【０００７】
本考案によれば、本体部と覆い部の間に空間を形成するとともに、この空間を、開口部を介して外部と連通するようにしたことにより、身体の温めたい部分を、開口部から空間内に位置するように挿入することにより、その挿入した身体の部分を包み覆うように保温でき、従来のクッションよりも保温性を高めることができる。
【図面の簡単な説明】
【０００８】
【図１】本考案のクッションの斜視図。
【図２】図１の側面図。
【図３】覆い部の開口側を持ち上げた状態の縦断面図。
【図４】図１のクッションの使用状態の一例を示す斜視図。
【図５】図１のクッションの使用状態の他例を示す斜視図。
【考案を実施するための形態】
【０００９】
本考案を実施するための形態を図に基づいて説明する。
【００１０】
本考案のクッション１は、真円状の本体部２と、真円状の覆い部３を有する。本体部２と覆い部３の形状は、図に示すような真円状に限定されず、楕円状や方形状等任意の形状に形成することができる。
【００１１】
本体部２は、その外面を構成する外布２ａとこの外布２ａの中に充填されたクッション材２ｂで構成されている。覆い部３は、その外面を構成する外布３ａとこの外布３ａの中に充填されたクッション材３ｂで構成されている。
【００１２】
本体部２の外縁部２ｃの周方向の一部と、覆い部３の外縁部３ｃにおける周方向の一部とが縫接されている。本体部２の外縁部２ｃの周方向の半分以上において、覆い部３の外縁部３ｃと縫接することが好ましい。これにより、本体部２と覆い部３との間には空間４が形成さるとともに、空間４は開口部５を介して外部と連通するようになっている。
【００１３】
本体部２と覆い部３の外布２ａ，３ａは任意の生地で構成することができる。外布２ａ，３ａの少なくとも使用者が触れる部分の生地としては、保温性の高い生地が好ましい。
【００１４】
本体部２と覆い部３のクッション材２ｂ，３ｂとしては、綿、ポリウレタンフォーム等任意の部材を用いることができるが、本実施例としては、ポリウレタンフォームを用いた。
【００１５】
クッション１は、使用者が、その身体の温めたい部分、例えば、図４に示すように下半身全体を、開口部５から空間４内に挿入して使用することができるようになっている。本体部２の外縁部の周方向の半分以上において、覆い部３の外縁部と縫接したことで、使用者が下半身等を空間４内に挿入した際に、空間４と外部との隙間を小さくすることができ、保温性を高めることができる。
【００１６】
また、使用者の下半身を、本体部２と覆い部３により包むように覆うことができるため、クッション１と使用者との接触面積を、上記従来のクッションと比較して大きくすることができ、保温性を高めることができる。また、空間４内に下半身等を挿入した際に、空間４は開口部５のみで外部と連通しているために、空間４と外部との隙間が少なくし、保温性を高めることができる。
【００１７】
また、保温性をそれほど必要としない場合には、図５に示すように、使用者が覆い部４の上部に、横たわったり、座ったりして使用することもできるようになっている。
【００１８】
また、クッション材２ｂ，３ｂとしてポリウレタンフォームを使用していることで、クッション１の形態保持性が高く、クッション１を壁等に立てかけて、そこにもたれて背もたれとして使用することもできるようになっている。
【符号の説明】
【００１９】
１  クッション
２  本体部
２ｃ，３ｃ  外縁部
３  覆い部
４  空間
５  開口部
【図１】
0003204817.tif 000003
【図２】
0003204817.tif 000004
【図３】
0003204817.tif 000005
【図４】
0003204817.tif 000006
【図５】
0003204817.tif 000007